(57)【要約】  マニュアルフォーカスモードの切り替え時の誤操作を容易かつ確実に防止することを可能とするレンズ鏡筒及びその制御方法、カメラ本体及びその制御方法、並びに撮影装置及びその制御方法を提供する。  レンズ鏡筒本体（３０は）、フォーカスレンズ（９５）を含む撮影光学系（３１）を収納する。フォーカス操作リング（３２）は、撮影光学系（３１）の光軸を中心として、第１連結環（３３）と一体に回転する。第２連結環（３４）は、第１連結環（３３）とカム環（３５）に係合する係合位置と、いずれにも非係合の非係合位置とで移動可能である。カム環（３５）は、撮影光学系（３１）の光軸を中心として制限された角度範囲内で回転可能である。切替操作リング（３６）は、第２連結環（３４）を係合位置に移動させる回転規制位置と、第２連結環（３４）を非係合位置に移動させる回転許容位置とで移動可能である。
2016104409.tif 000002
【特許請求の範囲】
【請求項１】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
前記レンズ鏡筒本体に対して前記光軸方向に移動可能に取り付けられた切替操作部材であって、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
を備えるレンズ鏡筒。
【請求項２】
前記切替操作部材は、前記回転許容位置にある場合には、前記回転規制位置にある場合よりも、前記フォーカス操作部材に近接する請求項１記載のレンズ鏡筒。
【請求項３】
前記回転規制部材は、前記フォーカス操作部材及び前記切替操作部材よりも前記レンズ鏡筒本体の内径側に配置されており、前記切替操作部材が前記回転許容位置にある場合に、前記フォーカス操作部材及び前記切替操作部材により覆われる請求項２記載のレンズ鏡筒。
【請求項４】
前記回転規制部材には、前記切替操作部材が前記回転規制位置にある場合に、前記フォーカス操作部材により覆われずに露呈した部分に距離目盛が付されている請求項３記載のレンズ鏡筒。
【請求項５】
前記フォーカス操作部材の回転を検出する第１センサと、
前記回転規制部材の角度位置を検出する第２センサと、
前記切替操作部材の位置を検出する第３センサと、
前記第１センサ、前記第２センサ、前記第３センサの出力に基づいて、前記フォーカスレンズを前記光軸方向に移動させる駆動部とを備える請求項４記載のレンズ鏡筒。
【請求項６】
前記駆動部は、前記第３センサの出力が、前記切替操作部材が前記回転規制位置にあることを示す場合に、前記第２センサの出力に基づき、前記フォーカスレンズを移動させる請求項５記載のレンズ鏡筒。
【請求項７】
前記駆動部を制御し、前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行する制御部を備える請求項６記載のレンズ鏡筒。
【請求項８】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
前記レンズ鏡筒本体に対して前記光軸方向に移動可能に取り付けられ、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
前記フォーカス操作部材の回転を検出する第１センサと、
前記回転規制部材の角度位置を検出する第２センサと、
前記切替操作部材の位置を検出する第３センサと、
を備えるレンズ鏡筒の制御方法において、
前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行するレンズ鏡筒の制御方法。
【請求項９】
請求項６記載のレンズ鏡筒が着脱自在に接続され、
前記レンズ鏡筒の前記駆動部を制御し、前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行する制御部を備えるカメラ本体。
【請求項１０】
前記レンズ鏡筒本体から射出された光を撮像する撮像部と、
前記第１マニュアルフォーカスモード及び前記第２マニュアルフォーカスモードに代えて、オートフォーカスモードを選択するためのモード切替スイッチとを備え、
前記制御部は、前記モード切替スイッチにより前記オートフォーカスモードが選択された場合には、前記撮像部により得られる撮像信号に基づいて合焦位置を求め、前記合焦位置に前記フォーカスレンズを移動させる請求項９記載のカメラ本体。
【請求項１１】
前記制御部は、前記モード切替スイッチにより前記オートフォーカスモードが選択され、前記第３センサの出力が、前記切替操作部材が前記回転許容位置にあることを示す場合には、前記合焦位置に前記フォーカスレンズを移動させた後、前記回転方向及び前記回転量に応じて前記フォーカスレンズを移動させる請求項１０記載のカメラ本体。
【請求項１２】
前記制御部は、前記モード切替スイッチにより前記オートフォーカスモードが選択され、前記第３センサの出力が、前記切替操作部材が前記回転規制位置にあることを示す場合には、前記第２センサの出力に基づき、前記フォーカスレンズを移動させて前記合焦位置を求める請求項１０記載のカメラ本体。
【請求項１３】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
前記レンズ鏡筒本体に対して前記光軸方向に移動可能に取り付けられ、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
前記フォーカス操作部材の回転を検出する第１センサと、
前記回転規制部材の角度位置を検出する第２センサと、
前記切替操作部材の位置を検出する第３センサと、
を備えたレンズ鏡筒が着脱自在に接続されるカメラ本体の制御方法において、
前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行するカメラ本体の制御方法。
【請求項１４】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
前記レンズ鏡筒本体に対して前記光軸方向に移動可能に取り付けられ、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
前記フォーカス操作部材の回転を検出する第１センサと、
前記回転規制部材の角度位置を検出する第２センサと、
前記切替操作部材の位置を検出する第３センサと、
前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行する制御部と、
を備える撮影装置。
【請求項１５】
前記レンズ鏡筒本体から射出された光を撮像する撮像部と、
前記第１マニュアルフォーカスモード及び前記第２マニュアルフォーカスモードに代えて、オートフォーカスモードを選択するためのモード切替スイッチとを備え、
前記制御部は、前記モード切替スイッチにより前記オートフォーカスモードが選択された場合には、前記撮像部により得られる撮像信号に基づいて合焦位置を求め、前記合焦位置に前記フォーカスレンズを移動させる請求項１４記載の撮影装置。
【請求項１６】
前記制御部は、前記モード切替スイッチにより前記オートフォーカスモードが選択され、前記第３センサの出力が、前記切替操作部材が前記回転許容位置にあることを示す場合には、前記合焦位置に前記フォーカスレンズを移動させた後、前記回転方向及び前記回転量に応じて前記フォーカスレンズを移動させる請求項１５記載の撮影装置。
【請求項１７】
前記制御部は、前記モード切替スイッチにより前記オートフォーカスモードが選択され、前記第３センサの出力が、前記切替操作部材が前記回転規制位置にあることを示す場合には、前記第２センサの出力に基づき、前記フォーカスレンズを移動させて前記合焦位置を求める請求項１５記載の撮影装置。
【請求項１８】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
前記レンズ鏡筒本体に対して前記光軸方向に移動可能に取り付けられ、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
前記フォーカス操作部材の回転を検出する第１センサと、
前記回転規制部材の角度位置を検出する第２センサと、
前記切替操作部材の位置を検出する第３センサと、
を備えた撮影装置の制御方法において、
前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行する撮影装置の制御方法。
【発明の詳細な説明】
【技術分野】
【０００１】
本発明は、マニュアルフォーカス機能を有するレンズ鏡筒及びその制御方法、カメラ本体及びその制御方法、並びに撮影装置及びその制御方法に関するものである。
【背景技術】
【０００２】
上級者向けの一眼レフタイプなどのカメラは、ユーザーが手動で焦点調節を行うことを可能とするマニュアルフォーカス機能を有する。このマニュアルフォーカス機能を有するカメラは、ユーザーにより操作される操作リングと、操作リングの回転量や角度位置に応じてフォーカスレンズを移動させる駆動部とを備える。【０００３】
特許文献１，２記載のカメラは、フォーカスレンズを含む撮影光学系の光軸方向に沿った第１の位置と第２の位置との間で、操作リングが移動可能に取り付けられている。操作リングは、第１の位置にある場合にはエンドレスに回転可能とされ、第２の位置にある場合には光軸を中心として制限された角度範囲内で回転可能とされている。そして、操作リングが第１の位置にある場合には、第１のマニュアルフォーカスモードで撮影が行われる。第１のマニュアルフォーカスモードでは、操作リングの回転量に応じてフォーカスレンズを移動させる。一方、操作リングが第２の位置にある場合には、第２のマニュアルフォーカスモードで撮影が行われる。第２のマニュアルフォーカスモードでは、操作リングの角度位置に応じてフォーカスレンズを移動させる。特許文献２記載のカメラには、操作リングに距離目盛が付され、レンズ鏡筒本体に指標が付されている。特許文献２記載のカメラは、第２のマニュアルフォーカスモードでは、指標の位置に合わせられた距離目盛に対応する撮影距離が得られる位置にフォーカスレンズを移動させる。【０００４】
特許文献１，２に記載されたカメラでは、操作リングが回転可能であり、且つ光軸方向に移動可能に構成されていることにより、第１，第２のマニュアルフォーカスモードの切り替え時に誤操作を誘発する可能性がある。例えば、第２のマニュアルフォーカスモードで撮影距離を設定した後、この設定値から撮影距離を微調整するために第１のマニュアルフォーカスモードへ切り替えようとする場合には、操作リングを回転させることなく光軸方向に沿って第２の位置から第１の位置に移動させることができれば、上記設定値から撮影距離の微調整が可能である。しかし、操作リングを光軸方向に移動させる場合には、操作リングを誤って回転させてしまうことがある。【０００５】
このような誤操作に対して、特許文献２には、操作リングを光軸方向に移動させた際に、操作リングが回転しても、この操作リングの回転に対する処理を電気的に禁止する構成が開示されている。具体的には、操作リングの切り替えを検出してから所定期間が経過するまでの間は、操作リングが回転しても、この回転に対するフォーカスレンズの移動を禁止している。
【先行技術文献】
【特許文献】
【０００６】
【特許文献１】特許第５０２８９４５号
【特許文献２】特開２０１３−７８３７号公報
【発明の概要】
【発明が解決しようとする課題】
【０００７】
しかしながら、上記特許文献２に記載された誤操作対策では、誤操作を電気的に防止するための回路を別途設ける必要がある。また、操作リングの切り替え時間はユーザーごとにばらつきがあるため、誤操作を確実に防止しようとすると上記所定期間をある程度長く設定する必要がある。しかし、上記所定期間を長くすると、操作リングの切り替え操作を行ってから回転操作が有効化されるまでの時間が長くなるので、ユーザーに対して違和感を生じさせてしまう。逆に、ユーザーに対する違和感を無くすために上記所定期間を短く設定すると、誤操作を確実に防止することはできない。【０００８】
本発明は、マニュアルフォーカスモードの切り替え時の誤操作を容易かつ確実に防止することを可能とするレンズ鏡筒及びその制御方法、カメラ本体及びその制御方法、並びに撮影装置及びその制御方法を提供することを目的とする。
【課題を解決するための手段】
【０００９】
本発明のレンズ鏡筒は、レンズ鏡筒本体と、フォーカス操作部材と、回転規制部材と、切替操作部材とを備える。レンズ鏡筒本体は、フォーカスレンズを含む撮影光学系を収納する。フォーカス操作部材は、レンズ鏡筒本体に対して、撮影光学系の光軸を中心としてエンドレスに回転可能に取り付けられている。回転規制部材は、光軸を中心として制限された角度範囲内で回転可能である。回転規制部材は、光軸方向に、フォーカス操作部材に係合する係合位置と、フォーカス操作部材に非係合の非係合位置との間で移動可能である。切替操作部材は、レンズ鏡筒本体に対して光軸方向に移動可能に取り付けられている。切替操作部材は、回転規制部材を係合位置に移動させて、フォーカス操作部材の回転を角度範囲内に規制する回転規制位置と、回転規制部材を非係合位置に移動させて、フォーカス操作部材のエンドレスな回転を許容する回転許容位置との間で移動可能である。【００１０】
切替操作部材は、回転許容位置にある場合には、回転規制位置にある場合よりも、フォーカス操作部材に近接することが好ましい。回転規制部材は、フォーカス操作部材及び切替操作部材よりもレンズ鏡筒本体の内径側に配置されており、切替操作部材が回転許容位置にある場合に、フォーカス操作部材及び切替操作部材により覆われることが好ましい。回転規制部材には、切替操作部材が回転規制位置にある場合に、フォーカス操作部材により覆われずに露呈した部分に距離目盛が付されていることが好ましい。【００１１】
レンズ鏡筒は、第１センサと、第２センサと、第３センサと、駆動部とを備えることが好ましい。第１センサは、フォーカス操作部材の回転を検出する。第２センサは、回転規制部材の角度位置を検出する。第３センサは、切替操作部材の位置を検出する。駆動部は、第１センサ、第２センサ、第３センサの出力に基づいて、フォーカスレンズを光軸方向に移動させる。【００１２】
駆動部は、第３センサの出力が、切替操作部材が回転規制位置にあることを示す場合に、第２センサの出力に基づき、フォーカスレンズを移動させることが好ましい。【００１３】
レンズ鏡筒は、駆動部を制御する制御部を備えることが好ましい。制御部は、第３センサの出力が、切替操作部材が回転許容位置にあることを示す場合に、第１マニュアルフォーカスモードを実行する。第１マニュアルフォーカスモードでは、制御部は、第１センサの出力に基づいて求められる回転方向及び回転量に応じてフォーカスレンズを移動させる。制御部は、第３センサの出力が、切替操作部材が回転規制位置にあることを示す場合に、第２マニュアルフォーカスモードを実行する。第２マニュアルフォーカスモードでは、制御部は、第２センサが検出した角度位置に応じてフォーカスレンズを移動させる【００１４】
本発明は、レンズ鏡筒本体と、フォーカス操作部材と、回転規制部材と、切替操作部材と、第１センサと、第２センサと、第３センサとを備えるレンズ鏡筒の制御方法において、第３センサの出力が、切替操作部材が回転許容位置にあることを示す場合に、第１センサの出力に基づいて求められる回転方向及び回転量に応じてフォーカスレンズを移動させる第１マニュアルフォーカスモードを実行し、第３センサの出力が、切替操作部材が回転規制位置にあることを示す場合に、第２センサが検出した角度位置に応じてフォーカスレンズを移動させる第２マニュアルフォーカスモードを実行するものである。レンズ鏡筒本体は、フォーカスレンズを含む撮影光学系を収納する。フォーカス操作部材は、レンズ鏡筒本体に対して、撮影光学系の光軸を中心としてエンドレスに回転可能に取り付けられている。回転規制部材は、光軸を中心として制限された角度範囲内で回転可能である。回転規制部材は、光軸方向に、フォーカス操作部材に係合する係合位置と、フォーカス操作部材に非係合の非係合位置との間で移動可能である。切替操作部材は、レンズ鏡筒本体に対して光軸方向に移動可能に取り付けられている。切替操作部材は、回転規制部材を係合位置に移動させて、フォーカス操作部材の回転を角度範囲内に規制する回転規制位置と、回転規制部材を非係合位置に移動させて、フォーカス操作部材のエンドレスな回転を許容する回転許容位置との間で移動可能である。第１センサは、フォーカス操作部材の回転を検出する。第２センサは、回転規制部材の角度位置を検出する。第３センサは、切替操作部材の位置を検出する。【００１５】
本発明のカメラ本体は、請求項６に記載のレンズ鏡筒が着脱自在に接続される。カメラ本体は、レンズ鏡筒の駆動部を制御する制御部を備える。制御部は、第３センサの出力が、切替操作部材が回転許容位置にあることを示す場合に、第１マニュアルフォーカスモードを実行する。第１マニュアルフォーカスモードでは、制御部は、第１センサの出力に基づいて求められる回転方向及び回転量に応じてフォーカスレンズを移動させる。制御部は、第３センサの出力が、切替操作部材が回転規制位置にあることを示す場合に、第２マニュアルフォーカスモードを実行する。第２マニュアルフォーカスモードでは、制御部は、第２センサが検出した角度位置に応じてフォーカスレンズを移動させる。【００１６】
カメラ本体は、撮像部と、モード切替スイッチとを備えることが好ましい。撮像部は、レンズ鏡筒本体から射出された光を撮像する。モード切替スイッチは、第１マニュアルフォーカスモード及び第２マニュアルフォーカスモードに代えて、オートフォーカスモードを選択するために用いられる。制御部は、モード切替スイッチによりオートフォーカスモードが選択された場合には、撮像部により得られる撮像信号に基づいて合焦位置を求め、合焦位置にフォーカスレンズを移動させることが好ましい。【００１７】
制御部は、モード切替スイッチによりオートフォーカスモードが選択され、第３センサの出力が、切替操作部材が回転許容位置にあることを示す場合には、レリーズスイッチの半押し操作によって合焦位置にフォーカスレンズを移動させた後、回転方向及び回転量に応じてフォーカスレンズを移動させることが好ましい。【００１８】
制御部は、モード切替スイッチによりオートフォーカスモードが選択され、第３センサの出力が、切替操作部材が回転規制位置にあることを示す場合には、第２センサの出力に基づき、フォーカスレンズを移動させて合焦位置を求めることが好ましい。【００１９】
本発明は、レンズ鏡筒本体と、フォーカス操作部材と、回転規制部材と、切替操作部材と、第１センサと、第２センサと、第３センサと、を備えたレンズ鏡筒が着脱自在に接続されるカメラ本体の制御方法において、第３センサの出力が、切替操作部材が回転許容位置にあることを示す場合に、第１センサの出力に基づいて求められる回転方向及び回転量に応じてフォーカスレンズを移動させる第１マニュアルフォーカスモードを実行し、第３センサの出力が、切替操作部材が回転規制位置にあることを示す場合に、第２センサが検出した角度位置に応じてフォーカスレンズを移動させる第２マニュアルフォーカスモードを実行するものである。レンズ鏡筒本体は、フォーカスレンズを含む撮影光学系を収納する。フォーカス操作部材は、レンズ鏡筒本体に対して、撮影光学系の光軸を中心としてエンドレスに回転可能に取り付けられている。回転規制部材は、光軸を中心として制限された角度範囲内で回転可能である。回転規制部材は、光軸方向に、フォーカス操作部材に係合する係合位置と、フォーカス操作部材に非係合の非係合位置との間で移動可能である。切替操作部材は、レンズ鏡筒本体に対して光軸方向に移動可能に取り付けられている。切替操作部材は、回転規制部材を係合位置に移動させて、フォーカス操作部材の回転を角度範囲内に規制する回転規制位置と、回転規制部材を非係合位置に移動させて、フォーカス操作部材のエンドレスな回転を許容する回転許容位置との間で移動可能である。第１センサは、フォーカス操作部材の回転を検出する。第２センサは、回転規制部材の角度位置を検出する。第３センサは、切替操作部材の位置を検出する。【００２０】
本発明の撮影装置は、レンズ鏡筒本体と、フォーカス操作部材と、回転規制部材と、切替操作部材と、第１センサと、第２センサと、第３センサと、制御部と、を備える。レンズ鏡筒本体は、フォーカスレンズを含む撮影光学系を収納する。フォーカス操作部材は、レンズ鏡筒本体に対して、撮影光学系の光軸を中心としてエンドレスに回転可能に取り付けられている。回転規制部材は、光軸を中心として制限された角度範囲内で回転可能である。回転規制部材は、光軸方向に、フォーカス操作部材に係合する係合位置と、フォーカス操作部材に非係合の非係合位置との間で移動可能である。切替操作部材は、レンズ鏡筒本体に対して光軸方向に移動可能に取り付けられている。切替操作部材は、回転規制部材を係合位置に移動させて、フォーカス操作部材の回転を角度範囲内に規制する回転規制位置と、回転規制部材を非係合位置に移動させて、フォーカス操作部材のエンドレスな回転を許容する回転許容位置との間で移動可能である。第１センサは、フォーカス操作部材の回転を検出する。第２センサは、回転規制部材の角度位置を検出する。第３センサは、切替操作部材の位置を検出する。制御部は、第３センサの出力が、切替操作部材が回転許容位置にあることを示す場合に、第１マニュアルフォーカスモードを実行する。第１マニュアルフォーカスモードでは、制御部は、第１センサの出力に基づいて求められる回転方向及び回転量に応じてフォーカスレンズを移動させる。制御部は、第３センサの出力が、切替操作部材が回転規制位置にあることを示す場合に、第２マニュアルフォーカスモードを実行する。第２マニュアルフォーカスモードでは、制御部は、第２センサが検出した角度位置に応じてフォーカスレンズを移動させる。【００２１】
撮影装置は、撮像部と、モード切替スイッチとを備えることが好ましい。撮像部は、レンズ鏡筒本体から射出された光を撮像する。モード切替スイッチは、第１マニュアルフォーカスモード及び第２マニュアルフォーカスモードに代えて、オートフォーカスモードを選択するために用いられる。制御部は、モード切替スイッチによりオートフォーカスモードが選択された場合には、撮像部により得られる撮像信号に基づいて合焦位置を求め、合焦位置にフォーカスレンズを移動させることが好ましい。【００２２】
制御部は、モード切替スイッチによりオートフォーカスモードが選択され、第３センサの出力が、切替操作部材が回転許容位置にあることを示す場合には、レリーズスイッチの半押し操作によって合焦位置にフォーカスレンズを移動させた後、回転方向及び回転量に応じてフォーカスレンズを移動させることが好ましい。【００２３】
制御部は、モード切替スイッチによりオートフォーカスモードが選択され、第３センサの出力が、切替操作部材が回転規制位置にあることを示す場合には、第２センサの出力に基づき、フォーカスレンズを移動させて合焦位置を求めることが好ましい。【００２４】
本発明は、レンズ鏡筒本体と、フォーカス操作部材と、回転規制部材と、切替操作部材と、第１センサと、第２センサと、第３センサとを備えた撮影装置の制御方法において、第３センサの出力が、切替操作部材が回転許容位置にあることを示す場合に、第１センサの出力に基づいて求められる回転方向及び回転量に応じてフォーカスレンズを移動させる第１マニュアルフォーカスモードを実行し、第３センサの出力が、切替操作部材が回転規制位置にあることを示す場合に、第２センサが検出した角度位置に応じてフォーカスレンズを移動させる第２マニュアルフォーカスモードを実行するものである。レンズ鏡筒本体は、フォーカスレンズを含む撮影光学系を収納する。フォーカス操作部材は、レンズ鏡筒本体に対して、撮影光学系の光軸を中心としてエンドレスに回転可能に取り付けられている。回転規制部材は、光軸を中心として制限された角度範囲内で回転可能である。回転規制部材は、光軸方向に、フォーカス操作部材に係合する係合位置と、フォーカス操作部材に非係合の非係合位置との間で移動可能である。切替操作部材は、レンズ鏡筒本体に対して光軸方向に移動可能に取り付けられている。切替操作部材は、回転規制部材を係合位置に移動させて、フォーカス操作部材の回転を角度範囲内に規制する回転規制位置と、回転規制部材を非係合位置に移動させて、フォーカス操作部材のエンドレスな回転を許容する回転許容位置との間で移動可能である。第１センサは、フォーカス操作部材の回転を検出する。第２センサは、回転規制部材の角度位置を検出する。第３センサは、切替操作部材の位置を検出する。
【発明の効果】
【００２５】
本発明によれば、切替操作部材によりマニュアルフォーカスモードの切り替えが行われるので、マニュアルフォーカスモードの切り替え時の誤操作を容易かつ確実に防止することができる。
【図面の簡単な説明】
【００２６】
【図１】レンズ交換式デジタルカメラの正面側外観斜視図である。
【図２】レンズ鏡筒及びカメラ本体の外観斜視図である。
【図３】カメラ本体の背面側外観斜視図である。
【図４】レンズ鏡筒の断面図である。
【図５】第１連結環及び第１センサの斜視図である。
【図６】第１連結環及び第１センサの正面図である。
【図７】係合位置にある第２連結環の断面図である。
【図８】非係合位置にある第２連結環の断面図である。
【図９】第２連結環の斜視図である。
【図１０】カム環及び第２センサの斜視図である。
【図１１】背面側から見たカム環及び第２センサの斜視図である。
【図１２】切替操作リング及び第３センサの斜視図である。
【図１３】レンズ交換式デジタルカメラの構成を示すブロック図である。
【図１４】ＭＦモードとＳ−ＡＦモードとＣ−ＡＦモードとの実行条件を示すフローチャートである。
【図１５】第１ＭＦモードと第２ＭＦモードとの実行条件を示すフローチャートである。
【図１６】第１ＭＦモードにおけるフォーカスレンズの移動手順を示すフローチャートである。
【図１７】第２ＭＦモードにおけるフォーカスレンズの移動手順を示すフローチャートである。
【図１８】Ｓ−ＡＦモードにおいて、第１ＡＦモードと第２ＡＦモードと第３ＡＦモードとの実行条件を示すフローチャートである。
【図１９】第１ＡＦモードにおけるフォーカスレンズの移動手順を示すフローチャートである。
【図２０】第２ＡＦモードにおけるフォーカスレンズの移動手順を示すフローチャートである。
【図２１】第３ＡＦモードにおけるフォーカスレンズの移動手順を示すフローチャートである。
【図２２】Ｃ−ＡＦモードにおいて、第４ＡＦモードと第５ＡＦモードとのフォーカスレンズの移動手順を示すフローチャートである。
【発明を実施するための形態】
【００２７】
図１及び図２において、レンズ交換式デジタルカメラ（以下、カメラと称する）１０は、カメラ本体１１と、レンズ鏡筒１２とを備える。レンズ鏡筒１２は、カメラ本体１１に着脱自在に接続される。カメラ１０は、いわゆるミラーレス一眼タイプのデジタルカメラである。
【００２８】
カメラ本体１１は、その上面に、電源レバー１３と、レリーズスイッチ１４と、露出補正ダイヤル１５と、シャッタスピードダイヤル１６などを備える。レリーズスイッチ１４は、いわゆる「半押し」と「全押し」とを可能とする２段ストローク式のスイッチである。レリーズスイッチ１４は、半押しされることによってＳ１オンの信号を出力し、半押しから更に押し込む全押しが行われることによってＳ２オンの信号を出力する。カメラ１０は、レリーズスイッチ１４からＳ１オン信号が出力されると自動焦点調節（ＡＦ（Auto Focus）処理）や自動露出制御などの撮影準備処理を実行し、Ｓ２オン信号が出力されると撮影処理を実行する。
【００２９】
カメラ本体１１の前面には、マウント１７と、光学ファインダ窓１８と、モード切替レバー１９とが設けられている。マウント１７は、カメラ本体１１にレンズ鏡筒１２を取り付ける際に、レンズ鏡筒１２の後端に設けられたレンズマウント２０と着脱自在に結合される。また、マウント１７の内部には、ボディ側信号接点２１と、固体撮像素子２２とが設けられている。ボディ側信号接点２１は、カメラ本体１１にレンズ鏡筒１２が取り付けられた場合に、レンズ鏡筒１２の後端に設けられたレンズ側信号接点２３と電気的に接続することによって、レンズ鏡筒１２とカメラ本体１１とを電気的に接続する。固体撮像素子２２は、レンズ鏡筒１２から射出された光を撮像する撮像部である。
【００３０】
モード切替レバー１９は、撮影モードを切り替えるためのモード切替スイッチである。本実施形態では、モード切替レバー１９により、撮影モードとして、マニュアルフォーカスモードとオートフォーカスモードとの切り替えを可能とする。
【００３１】
図３において、カメラ本体１１の背面には、画像表示部２４と、複数の操作ボタン２５と、ファインダ接眼部２６などが設けられている。画像表示部２４は、例えばＬＣＤ（Liquid Crystal Display）パネルで構成されている。画像表示部２４は、ライブビュー画像の表示や撮影済み画像の再生表示などに用いられる。操作ボタン２５は、静止画撮影と動画撮影とを切り替えるための設定操作など各種設定操作に用いられる。ファインダ接眼部２６は、光学ファインダと、電子ファインダとに切り替え可能である。光学ファインダは、光学ファインダ窓１８を通した光学像を観察可能とする。電子ファインダは、固体撮像素子２２により撮像したライブビュー画像を観察可能とする。電子ファインダに切り替えられた場合には、ファインダ接眼部２６の奥に配置したＥＶＦ（Electronic View Finder）パネル２７（図１３参照）に、固体撮像素子２２で撮像したライブビュー画像が表示される。ＥＶＦパネル２７は、ＬＣＤ等で構成される。
【００３２】
図４において、レンズ鏡筒１２は、レンズ鏡筒本体３０と、撮影光学系３１と、フォーカス操作リング３２と、第１連結環３３と、第２連結環３４と、カム環３５と、切替操作リング３６と、ズーム操作リング３７と、絞り調整リング３８とを有する。レンズ鏡筒本体３０は、円筒形状であって、内部に撮影光学系３１を収納している。レンズ鏡筒本体３０の後端にはレンズマウント２０が設けられている（図２参照）。撮影光学系３１は、レンズ鏡筒１２がカメラ本体１１に接続された場合に、固体撮像素子２２に被写体光を結像する。
【００３３】
フォーカス操作リング３２は、ユーザーが手動で回転操作して焦点調節を行うための操作部材である。フォーカス操作リング３２は、レンズ鏡筒本体３０に対して、撮影光学系３１の光軸Ｌを中心としてエンドレスに回転可能に取り付けられている。なお、ここでいうエンドレスに回転可能な構成とは、レンズ鏡筒本体３０に対して回転させる際に、いずれの回転方向にも固定端が無く、無制限に回転させることができる構成である。
【００３４】
第１連結環３３は、フォーカス操作リング３２に固定されている（図４参照）。第１連結環３３は、フォーカス操作リング３２が回転した場合に、フォーカス操作リング３２とともに回転する。したがって、フォーカス操作リング３２と第１連結環３３とは一体であり、本発明の「フォーカス操作部材」を構成している。
【００３５】
図５において、第１連結環３３は、第１係合突起４０と、第１センサ４２とを有する。第１係合突起４０は、第１連結環３３の外周面に、第１連結環３３の周方向に一定のピッチで設けられている。第１係合突起４０は、例えば、五角形形状であり、その頂点が前方側に向けて配置されている。
【００３６】
第１センサ４２は、櫛歯リング４３と、フォトインタラプタ４４ａ，４４ｂとで構成されている。櫛歯リング４３は、第１連結環３３の内周面に設けられた複数の歯４３ａによって構成されている。歯４３ａは、第１連結環３３の周方向に一定のピッチで配列されている。櫛歯リング４３の１つの歯４３ａがフォトインタラプタ４４ａ，４４ｂの受光素子に入射する光を遮ることにより、フォトインタラプタ４４ａ，４４ｂの検出信号に変化を生じさせる。
【００３７】
フォトインタラプタ４４ａは、発光ダイオードと受光素子とが対面する位置に設けられている光学センサである。フォトインタラプタ４４ａは、受光素子からの検出信号をレンズ制御部９１（図１３参照）に入力する。また、フォトインタラプタ４４ｂは、フォトインタラプタ４４ａと同じ構成であり、受光素子からの検出信号をレンズ制御部９１に入力する。レンズ制御部９１では、歯４３ａがフォトインタラプタ４４ａ，４４ｂの受光素子に入射する光を遮る回数を一定時間ごとにカウントする。レンズ制御部９１は、このカウント値を、ボディ側信号接点２１及びレンズ側信号接点２３を介して、カメラ本体１１側の本体制御部１００（図１３参照）に入力する。
【００３８】
フォーカス操作リング３２が回転した場合、歯４３ａがフォトインタラプタ４４ａ，４４ｂの受光素子に入射する光を遮ることにより、フォトインタラプタ４４ａ，４４ｂの検出信号に変化が生じる。本体制御部１００は、レンズ制御部９１から入力されたカウント値に基づいて、第１連結環３３の回転を検出することによって、フォーカス操作リング３２の回転を検出する。さらに、本体制御部１００は、フォーカス操作リング３２が回転した場合に、レンズ制御部９１から入力されたカウント値に基づいて、フォーカス操作リング３２の回転量を求める。
【００３９】
図６において、フォトインタラプタ４４ａ，４４ｂは、櫛歯リング４３の歯４３ａのピッチＰに対して、互いにずれた位相となるように配置されている。具体的には、フォトインタラプタ４４ａ，４４ｂは、その周方向における設置間隔Ｄが（１／４＋Ｎ）×Ｐとなる位置（ここで、Ｎは正の整数）に配されている。本実施形態では、Ｎ＝２としている。これにより、フォーカス操作リング３２が一方に回転された場合に、歯４３ａがフォトインタラプタ４４ａの受光素子に入射する光を遮ってから、「１／４×Ｐ」の距離に相当する時間だけ遅れて、いずれかの歯４３ａがフォトインタラプタ４４ｂの受光素子に入射する光を遮る。また、フォーカス操作リング３２が他方に回転された場合には、歯４３ａがフォトインタラプタ４４ｂの受光素子に入射する光を遮ってから、「１／４×Ｐ」の距離に相当する時間だけ遅れて、いずれかの歯４３ａがフォトインタラプタ４４ａの受光素子に入射する光を遮る。これにより、本体制御部１００によって、フォーカス操作リング３２の回転方向が求められる。
【００４０】
図７，８において、第２連結環３４は、切替操作リング３６に対して取り付けられている。第２連結環３４は、光軸Ｌを中心として回転可能である。さらに第２連結環３４は、第１連結環３３に係合する係合位置と、第１連結環３３に非係合の非係合位置との間で光軸Ｌ方向に移動可能である。図７は、第２連結環３４が係合位置にある場合を示している。図８は、第２連結環３４が非係合位置にある場合を示している。第２連結環３４は、フォーカス操作リング３２及び切替操作リング３６よりも、レンズ鏡筒本体３０の内径側に配置されている。
【００４１】
図９において、第２連結環３４の外周面には、距離目盛４６が付されている。距離目盛４６は、第２連結環３４の周方向に沿って、「ｎｅａｒ、０．５、０．８、１、３、５、∞」という距離を示す標記（文字、数値、または記号）が配列されたものである。なお、「ｎｅａｒ」は、最短撮影可能距離を示す。「∞」は、無限遠を示す。その他の数値は、メートル単位の撮影距離を示す。撮影距離とは、カメラ１０から合焦する被写体までの距離であり、焦点距離と連動する。
【００４２】
第２連結環３４は、第２係合突起４７と、第１嵌合部４８とを有する。第２係合突起４７は、第２連結環３４の前方側の内周面に、第２連結環３４の周方向に一定のピッチで設けられている。例えば、第２係合突起４７は、第１係合突起４０のピッチに対して、１／３のピッチで配列されている。なお、第２係合突起４７の形状は、例えば、五角形形状であり、その頂点が後方側に向けて配置されている。
【００４３】
第２連結環３４が係合位置にある場合に、第２係合突起４７は、周方向に並んだ第１係合突起４０の間に配置される。具体的には、第１連結環３３の第１係合突起４０のピッチに対して１／３のピッチで第２係合突起４７が設けられているので、２つの第１係合突起４０間に３つの第２係合突起４７が位置される。これにより、第２連結環３４が係合位置にある場合には、第２連結環３４は第１連結環３３と係合する。このため、フォーカス操作リング３２が回転すると、第１連結環３３を介して、第２連結環３４が回転する。
【００４４】
一方、第２連結環３４が非係合位置にある場合は、第２係合突起４７は、第１係合突起４０よりも前方側に配置され、第１連結環３３とは係合しない。このため、第２連結環３４が非係合位置にある場合には、フォーカス操作リング３２が回転しても、第２連結環３４は回転しない。
【００４５】
第１嵌合部４８は、第２連結環３４の後方側の端部から後方側へ光軸Ｌと平行に延びた凸状に形成されている。第１嵌合部４８は、例えば、第２連結環３４の周方向において１２０°の等角度間隔で設けられる。第１嵌合部４８は、第２連結環３４とカム環３５とを連結させる部材である。
【００４６】
カム環３５は、光軸Ｌの方向へは移動せずに、レンズ鏡筒本体３０に対して光軸Ｌを中心として制限された角度範囲内で回転可能に取り付けられている（図４参照）。カム環３５は、フォーカス操作リング３２及び切替操作リング３６よりも、レンズ鏡筒本体３０の内径側に配置されている。
【００４７】
図１０において、カム環３５は、第２嵌合部５０と、第２センサ５２とを有する。第２嵌合部５０は、カム環３５の前方側の端部に凹状に形成され、第１嵌合部４８と対向する位置に設けられている。例えば、第２嵌合部５０は、第１嵌合部４８に対向する位置に１２０°の等角度間隔で設けられる。第２嵌合部５０は、第２連結環３４が係合位置と非係合位置とのいずれにある場合でも、第１嵌合部４８と嵌合している。カム環３５は、第２連結環３４が係合位置にある場合、第２連結環３４の回転動作と連動して回転する。一方、カム環３５は、第２連結環３４が非係合位置にある場合には回転しない。
【００４８】
第２センサ５２は、カム筒５３と、ポジションセンサ５４とを有する。カム筒５３は、円筒形状に形成され、カム溝５６を有する。カム溝５６は、光軸Ｌを中心とした周方向に対して傾斜する方向に沿って切り欠かれている。
【００４９】
図１１において、ポジションセンサ５４は、固定枠６０と、カムピン６２と、抵抗体基板６４とを有する。固定枠６０は、カムピン６２及び抵抗体基板６４を支持し、レンズ鏡筒本体３０に固定されている。固定枠６０には、抵抗体基板６４と対面する位置に、光軸Ｌに沿ったガイド溝６６が形成されている。
【００５０】
カムピン６２は、カム溝５６に係合するとともに、ガイド溝６６に挿通されている。カムピン６２は、カム環３５が回転すると、ガイド溝６６の範囲内で光軸Ｌの方向に直線移動する。このように、カムピン６２は、ガイド溝６６及びカム筒５３とともに、カム環３５の回転動作を直線移動に変換する変換機構を構成している。
【００５１】
カム環３５と第２連結環３４の回転動作は連動している。第２連結環３４は、係合位置にある場合に、カム環３５によって光軸Ｌを中心として制限された角度範囲内で回転可能とされる。これにより、第２連結環３４が係合位置にある場合には、フォーカス操作リング３２は、第１連結環３３と第２連結環３４とカム環３５とが連結されることによって、光軸Ｌを中心として制限された角度範囲内で回転可能とされる。このように、第２連結環３４とカム環３５とで、本発明の「回転規制部材」が構成されている。
【００５２】
抵抗体基板６４は、カムピン６２と接触し、カムピン６２の直線移動に応じて抵抗値が変化する可変抵抗を構成している。抵抗体基板６４は、抵抗値の変化に基づいてカム環３５の角度位置を検出する。この抵抗体基板６４は、レンズ制御部９１を介して、抵抗値の変化を示す検出信号を本体制御部１００に出力する。本体制御部１００は、レンズ制御部９１から入力される検出信号に基づいて、カム環３５の角度位置、すなわちフォーカス操作リング３２の角度位置を求める。
【００５３】
切替操作リング３６は、レンズ鏡筒本体３０に対して光軸Ｌ方向に移動可能に取り付けられている（図７，８参照）。切替操作リング３６は、光軸Ｌ方向への移動に伴い、第２連結環３４を係合位置または非係合位置に移動させる。切替操作リング３６は、第２連結環３４を係合位置に移動させて、フォーカス操作リング３２の回転を角度範囲内に規制する「回転規制位置」と、第２連結環３４を非係合位置に移動させて、フォーカス操作リング３２のエンドレスな回転を許容する「回転許容位置」との間で切り替えられる切替操作部材である。切替操作リング３６は、回転許容位置にある場合には、回転規制位置にある場合よりも、フォーカス操作リング３２に近接する。
【００５４】
図１２において、切替操作リング３６の外周面には、外周面から一段下げられた凹部７０と、この凹部７０を覆う透明カバー７２とが設けられている。凹部７０の底部には、第２連結環３４に付された距離目盛４６を露出させる露出孔７４が形成されている。図７に示すように、切替操作リング３６が回転規制位置にある場合には、露出孔７４はフォーカス操作リング３２に覆われず、距離目盛４６が露呈する。一方、図８に示すように、切替操作リング３６が回転許容位置にある場合には、露出孔７４はフォーカス操作リング３２により覆われ、距離目盛４６は露呈しない。
【００５５】
また、切替操作リング３６の外周面には、露出孔７４の付近に直線状の印である指標７６が付されている。指標７６は、切替操作リング３６が回転規制位置にある場合に、フォーカス操作リング３２の操作により、距離目盛４６のうちの所望とする撮影距離に合わせられる。
【００５６】
切替操作リング３６の内周面には、前方側に前方溝７８が設けられており、後方側に後方溝７９が設けられている。前方溝７８及び後方溝７９は、切替操作リング３６の周方向に延びている。前方溝７８及び後方溝７９には、切替操作リング３６がレンズ鏡筒本体３０に取り付けられる際に、ボール８０が収容される。ボール８０は、切替操作リング３６が回転規制位置にある場合に前方溝７８へ収容され（図７参照）、切替操作リング３６が回転許容位置にある場合に後方溝７９へ収容される（図８参照）。ボール８０は、レンズ鏡筒本体３０に固定された板バネ８１によって、切替操作リング３６の内周面側に向けて押し付けられる。板バネ８１は、ボール８０を付勢するとともに、光軸Ｌと垂直な方向へたわむ弾性部材である。
【００５７】
切替操作リング３６が回転規制位置から回転許容位置に移動する際に、ボール８０は、前方溝７８の傾斜に沿って内径側に移動して板バネ８１を押し返す。これにより、板バネ８１が内径側にたわむことによって、ボール８０が前方溝７８から出る。そして、切替操作リング３６が回転許容位置となると、ボール８０が後方溝７９に入り込んで板バネ８１に押し付けられる。切替操作リング３６が回転許容位置から回転規制位置に移動する際も同様であり、ボール８０が板バネ８１を押し返して後方溝７９から出て、切替操作リング３６が回転規制位置となると、ボール８０が前方溝７８に入り込んで板バネ８１に押し付けられる。このように、切替操作リング３６は、回転許容位置と回転規制位置との間で切り替え可能とされている。
【００５８】
切替操作リング３６の位置は、第３センサ８２によって検出される（図１２参照）。第３センサ８２は、切替操作リング３６の後方側においてレンズ鏡筒本体３０に固定されている。第３センサ８２は、発光ダイオードと受光素子とが対面する位置に設けられた光学センサである。切替操作リング３６が回転規制位置にある場合には、発光ダイオードからの光は、切替操作リング３６の後方側の端部によって遮られる。一方、切替操作リング３６が回転許容位置にある場合には、発光ダイオードからの光は遮られずに、受光素子に入射する。受光素子の検出信号は、レンズ制御部９１を介して、本体制御部１００（図１３参照）に出力される。本体制御部１００は、レンズ制御部９１から入力される検出信号に基づいて、切替操作リング３６の位置を求める。
【００５９】
図１３に示すように、レンズ鏡筒１２は、上述した撮影光学系３１、フォーカス操作リング３２、第１連結環３３、第２連結環３４、カム環３５、切替操作リング３６、第１センサ４２、第２センサ５２、第３センサ８２の他、レンズ制御部９１と、モータドライバ９２と、ズーム機構９３とを有している。
【００６０】
レンズ制御部９１は、ＣＰＵ（Central Processing Unit）と、このＣＰＵで使用されるプログラムやパラメータを記憶したＲＯＭ（Read Only Memory）と、ＣＰＵのワークメモリとして使用されるＲＡＭ（Random Access Memory）（いずれも図示せず）などを備えたマイクロコンピュータからなり、レンズ鏡筒１２の各部を制御する。レンズ制御部９１には、モータドライバ９２が接続されている。
【００６１】
撮影光学系３１は、変倍レンズ９４、フォーカスレンズ９５を含む複数のレンズと、絞りユニット９６などを備える。ズーム機構９３は、ズーム操作リング３７の回転動作を直線移動に変換して変倍レンズ９４を移動させるマニュアルズーム機構である。変倍レンズ９４は、ズーム機構９３の駆動により光軸Ｌ方向に移動し、画角を変更する。
【００６２】
フォーカスレンズ９５は、モータ９８の駆動により光軸Ｌ方向に移動し、撮影距離を調節する。絞りユニット９６は、モータ９９の駆動により複数枚の絞り羽根（図示せず）を移動させ、固体撮像素子２２への入射光量を変化させる。モータ９８，９９は、ステッピングモータやサーボモータである。モータドライバ９２は、レンズ制御部９１の制御に基づき、モータ９８，９９の駆動を制御する。本実施形態では、モータ９８及びモータドライバ９２が、フォーカスレンズ９５を光軸Ｌ方向に移動させる駆動部を構成している。
【００６３】
レンズ側信号接点２３は、レンズ鏡筒１２とカメラ本体１１との間で電気信号の授受を行うための複数の接点である。レンズ側信号接点２３には、レンズ制御部９１に対してカメラ本体１１側から信号を送るための接点と、カメラ本体１１に対してレンズ制御部９１側から信号を送るための接点と、カメラ本体１１から電力供給を受け、レンズ鏡筒１２の各部に電力を供給するための接点（図示せず）などが設けられている。
【００６４】
また、レンズ鏡筒１２には、絞り調整リング３８の角度位置、または回転方向及び回転量を検出するセンサ（図示せず）が設けられており、第１〜第３センサ４２，５２，８２と同様に、カメラ本体１１に検出信号を送る。
【００６５】
カメラ本体１１は、上述したレリーズスイッチ１４、モード切替レバー１９、固体撮像素子２２、画像表示部２４、操作ボタン２５、及びＥＶＦパネル２７の他、本体制御部１００（制御部）と、シャッタユニット１０１と、モータドライバ１０２と、画像メモリ１０３と、画像データ処理部１０４と、ＡＦ処理部１０５と、ＬＣＤドライバ１０６と、及びカードＩ／Ｆ（Inter/Face）１０７などを有している。これらはバスライン１０８により接続されている。
【００６６】
本体制御部１００は、ＣＰＵと、このＣＰＵで使用されるプログラムやパラメータを記憶したＲＯＭと、ＣＰＵのワークメモリとして使用されるＲＡＭなどを備えている。本体制御部１００は、カメラ本体１１と、カメラ本体１１に接続されたレンズ鏡筒１２の各部を制御する。本体制御部１００には、レリーズスイッチ１４からＳ１オン信号、及びＳ２オン信号が入力される。また、本体制御部１００には、ボディ側信号接点２１が接続されている。
【００６７】
また、本体制御部１００は、絞り調整リング３８の回転操作を検出するセンサの出力に応じて絞りユニット９６を動作させ、絞り径を可変させる制御信号をレンズ制御部９１に送信する。レンズ制御部９１は、制御信号に基づいてモータドライバ９２を制御し、絞り径を可変させる。
【００６８】
シャッタユニット１０１は、いわゆるフォーカルプレーンシャッターであり、マウント１７と固体撮像素子２２との間に配置される。シャッタユニット１０１は、撮影光学系３１と固体撮像素子２２との間の光路を遮断可能に設けられており、開口状態および閉口状態をとり得る。シャッタユニット１０１は、ライブビュー画像及び動画撮影時に開口状態とされ、静止画撮影時に一時的に閉口状態になる。このシャッタユニット１０１は、シャッタモータ１０９により駆動される。モータドライバ１０２は、シャッタモータ１０９の駆動を制御する。
【００６９】
固体撮像素子２２は、本体制御部１００により駆動制御される。固体撮像素子２２は、例えば、Ｒ（Red），Ｇ（Green），Ｂ（Blue）のカラーフィルタを有する単板カラー撮像方式のＣＭＯＳ（Complementary Metal-Oxide Semiconductor）型イメージセンサである。固体撮像素子２２は、２次元マトリクス状に配列された複数の画素（図示せず）により構成された受光面を有している。各画素は、光電変換素子を含んでおり、レンズ鏡筒１２により受光面に結像された被写体像を光電変換して撮像信号を生成する。
【００７０】
また、固体撮像素子２２は、ノイズ除去回路、オートゲインコントローラ、Ａ／Ｄ（Analog／Digital）変換回路等の信号処理回路（いずれも図示せず）を有する。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して固体撮像素子２２からバスライン１０８に出力する。固体撮像素子２２の出力信号は、画素ごとに１つの色信号を有する画像データである。
【００７１】
画像メモリ１０３は、バスライン１０８に出力された１フレーム分の画像データを格納する。画像データ処理部１０４は、画像メモリ１０３から１フレーム分の画像データを読み出し、マトリクス演算、デモザイク処理、γ補正、輝度・色差変換、リサイズ処理などの公知の画像処理を施す。ＡＦ処理部１０５は、１フレーム分の画像データから、高周波成分の積算値であるＡＦ評価値を算出する。このＡＦ評価値は、画像のコントラストに対応する。
【００７２】
ＬＣＤドライバ１０６は、画像データ処理部１０４で画像処理された１フレーム分の画像データを順次に画像表示部２４またはＥＶＦパネル２７に入力する。画像表示部２４及びＥＶＦパネル２７は、ライブビュー画像を一定の周期で順次に表示する。カードＩ／Ｆ１０７は、カメラ本体１１に設けられたカードスロット（図示せず）内に組み込まれており、カードスロットに挿入されたメモリカード１１０と電気的に接続する。カードＩ／Ｆ１０７は、画像データ処理部１０４で画像処理された画像データをメモリカード１１０に格納する。また、メモリカード１１０に格納されている画像データを再生表示する際には、カードＩ／Ｆ１０７は、メモリカード１１０から画像データを読み出す。
【００７３】
本体制御部１００は、撮影モードに応じて、第１センサ４２、第２センサ５２、第３センサ８２の出力に基づいてフォーカスレンズ９５を移動させる制御信号をレンズ制御部９１に送信する。レンズ制御部９１は、制御信号に基づいてモータドライバ９２を制御し、フォーカスレンズ９５を移動させる。
【００７４】
本体制御部１００は、モード切替レバー１９に基づいて、マニュアルフォーカスモード（ＭＦモード）とオートフォーカスモード（ＡＦモード）とを選択的に実行する。ＭＦモードとしては、第１ＭＦモード（第１マニュアルフォーカスモード）と、第２ＭＦモード（第２マニュアルフォーカスモード）とが設けられている。第１ＭＦモードでは、ユーザーによるフォーカス操作リング３２の回転操作に応じて撮影距離が変更される。第２ＭＦモードでは、指標７６の位置に合わせられた距離目盛４６に対応する撮影距離が設定される。
【００７５】
ＡＦモードとしては、静止画撮影時のＳ−ＡＦ（Single-AF）モードと、動画撮影時のＣ−ＡＦ（Continuous-AF）モードとが設けられている。Ｓ−ＡＦは、第１ＡＦモードと、第２ＡＦモードと、第３ＡＦモードとを有する。第１ＡＦモードでは、本体制御部１００によってＡＦが行われる。第２ＡＦモードでは、ＡＦにより設定された合焦位置から、ユーザーによるフォーカス操作リング３２の操作に応じて焦点調節が可能とされる。第３ＡＦモードでは、指標７６の位置に合わせられた距離目盛４６に対応する撮影距離を中心とする特定の距離範囲内でＡＦが行われる。なお、第１ＡＦモードと第２ＡＦモードとは、カメラ本体１１の背面に設けられた操作ボタン２５によって選択的に実行可能とされる。
【００７６】
Ｃ−ＡＦは、第４ＡＦモードと、第５ＡＦモードとを有する。第４ＡＦモードでは、動画撮影を実行している間に、ＡＦが繰り返し行われる。第５ＡＦモードでは、動画撮影を実行している間に、第３ＡＦモードと同一の処理が繰り返し行われる。
【００７７】
以下、本体制御部１００の動作について、図１４〜図２２のフローチャートを参照して説明する。
【００７８】
図１４に示すように、本体制御部１００は、静止画撮影と動画撮影とのいずれが選択されているかを検出する（Ｓ１）。静止画撮影が選択されている場合（Ｓ１でＹＥＳ）には、本体制御部１００は、モード切替レバー１９のセット位置がＭＦモードとＡＦモードとのいずれにセットされているかを検出する（Ｓ２）。モード切替レバー１９がＭＦモードのセット位置にある場合（Ｓ２でＹＥＳ）には、本体制御部１００は、ＭＦモードを選択する。モード切替レバー１９がＡＦモードのセット位置にある場合（Ｓ２でＮＯ）には、本体制御部１００は、Ｓ−ＡＦモードを選択する（Ｓ３）。一方、動画撮影が選択されている場合（Ｓ１でＮＯ）には、本体制御部１００は、Ｃ−ＡＦモードを選択する（Ｓ４）。
【００７９】
図１５に示すように、本体制御部１００は、ＭＦモードを選択した場合（Ｓ１０）には、第３センサ８２の出力が、切替操作リング３６が回転許容位置にあることを示すか否かを判定する（Ｓ１１）。切替操作リング３６が回転許容位置にあることを示す場合（Ｓ１１でＹＥＳ）には、本体制御部１００は、第１ＭＦモードを実行する（Ｓ１２）。また、第３センサ８２の出力が、切替操作リング３６が回転規制位置にあることを示す場合（Ｓ１１でＮＯ）には、本体制御部１００は、第２ＭＦモードを実行する（Ｓ１３）。
【００８０】
図１６に示すように、本体制御部１００は、第１ＭＦモードが実行された場合（Ｓ２０）には、第１センサ４２の検出信号に基づき、フォーカス操作リング３２の回転を検出し（Ｓ２１）、フォーカス操作リング３２の回転方向及び回転量に応じて、フォーカスレンズ９５を光軸Ｌ方向に移動させる（Ｓ２２）。本体制御部１００は、フォーカス操作リング３２の回転方向及び回転量に応じた位置にフォーカスレンズ９５が到達したか否かを判定する（Ｓ２３）。フォーカス操作リング３２の回転方向及び回転量に応じた位置に到達するまでの間（Ｓ２３でＮＯ）は、フォーカスレンズ９５の移動が継続される（Ｓ２２）。フォーカス操作リング３２の回転方向及び回転量に応じた位置に到達すると（Ｓ２３でＹＥＳ）、本体制御部１００は、フォーカスレンズ９５の移動を停止させる（Ｓ２４）。このように、第１ＭＦモードでは、ユーザーによる撮影距離の微調整が可能である。
【００８１】
なお、本体制御部１００は、一定時間あたりのフォーカス操作リング３２の回転量に基づいて、フォーカス操作リング３２の回転速度を求め、回転速度に応じてフォーカスレンズ９５を移動させる量を変更する。すなわち、本体制御部１００は、回転速度が小さい場合は、フォーカスレンズ９５の移動量を小さくし、回転速度が大きい場合は、フォーカスレンズ９５の移動量を大きくする制御を行う。
【００８２】
図１７に示すように、本体制御部１００は、第２ＭＦモードが実行された場合（Ｓ３０）には、第２センサ５２の検出信号に基づき、指標７６の位置に合わせられた距離目盛４６に対応する撮影距離が得られるフォーカスレンズ９５の位置を算出する（Ｓ３１）。本体制御部１００は、算出した位置にフォーカスレンズ９５を移動させ（Ｓ３２）、フォーカスレンズ９５の移動を停止させる（Ｓ３３）。このように、第２ＭＦモードでは、ユーザーが目測等で撮影距離を予め決めて撮影を行う、いわゆる置きピン撮影が可能である。
【００８３】
また、図１８に示すように、本体制御部１００は、Ｓ−ＡＦモードを選択した場合（Ｓ４０）には、第３センサ８２の出力が、切替操作リング３６が回転許容位置にあることを示すか否かを判定する（Ｓ４１）。切替操作リング３６が回転許容位置にあることを示す場合（Ｓ４１でＹＥＳ）には、本体制御部１００は、操作ボタン２５により第１ＡＦモードが選択されたか否かを判定する（Ｓ４２）。第１ＡＦモードが選択された場合（Ｓ４２でＹＥＳ）には、本体制御部１００は、第１ＡＦモードを実行する（Ｓ４３）。また、第２ＡＦモードが選択された場合（Ｓ４２でＮＯ）には、本体制御部１００は、第２ＡＦモードを実行する（Ｓ４４）。一方、切替操作リング３６が回転規制位置にあることを示す場合（Ｓ４１でＮＯ）には、本体制御部１００は、第３ＡＦモードを実行する（Ｓ４５）。
【００８４】
図１９に示すように、本体制御部１００は、第１ＡＦモードを実行した場合（Ｓ５０）には、レリーズスイッチ１４の半押し操作によりＳ１オン信号が入力されると（Ｓ５１）、ＡＦ処理部１０５で１フレーム分の画像が得られるたびに算出されるＡＦ評価値に基づいて、ＡＦ評価値が最大値となるフォーカスレンズ９５の位置（合焦位置）を検出する（Ｓ５２）。本体制御部１００は、検出した合焦位置にフォーカスレンズ９５を移動させ（Ｓ５３）、フォーカスレンズ９５の移動を停止させる（Ｓ５４）。このように、第１ＡＦモードでは、ユーザーが操作を行うことなく、焦点調節が自動で行われる。
【００８５】
図２０に示すように、本体制御部１００は、第２ＡＦモードを実行した場合（Ｓ６０）には、レリーズスイッチ１４の半押し操作によりＳ１オン信号が入力されると（Ｓ６１）、ＡＦ評価値に基づいて合焦位置を検出し（Ｓ６２）、この合焦位置にフォーカスレンズ９５を移動させる（Ｓ６３）。
【００８６】
さらに、第２ＡＦモードでは、本体制御部１００は、第１センサ４２の検出信号に基づき、フォーカス操作リング３２の回転を検出し（Ｓ６４）、フォーカス操作リング３２の回転方向及び回転量に応じてフォーカスレンズ９５を合焦位置から移動させる（Ｓ６５）。そして、本体制御部１００は、フォーカス操作リング３２の回転方向及び回転量に応じた位置に到達したか否かを判定する（Ｓ６６）。フォーカス操作リング３２の回転方向及び回転量に応じた位置に到達するまでの間（Ｓ６６でＮＯ）は、フォーカスレンズ９５の移動が継続される（Ｓ６５）。フォーカス操作リング３２の回転方向及び回転量に応じた位置に到達すると（Ｓ６６でＹＥＳ）、本体制御部１００は、フォーカスレンズ９５の移動を停止させる（Ｓ６７）。このように、第２ＡＦモードでは、ユーザーは、ＡＦによる合焦位置から撮影距離の微調整を行うことができる。
【００８７】
図２１に示すように、本体制御部１００は、第３ＡＦモードを実行した場合（Ｓ７０）には、第２センサ５２の検出信号に基づき、指標７６の位置に合わせられた距離目盛４６に対応する撮影距離が得られる位置を算出する（Ｓ７１）。そして、本体制御部１００は、算出した位置を中心として含む特定の距離範囲内に限定して合焦位置を検出する（Ｓ７２）。本体制御部１００は、検出した合焦位置にフォーカスレンズ９５を移動させ（Ｓ７３）、フォーカスレンズ９５の移動を停止させる（Ｓ７４）。このように、第３ＡＦモードでは、フォーカス操作リング３２によりユーザーが指定した特定の距離範囲内でのみＡＦが行われ、ＡＦが高速化する。
【００８８】
図２２に示すように、本体制御部１００は、Ｃ−ＡＦモードを選択した場合（Ｓ８０）には、第３センサ８２の出力が、切替操作リング３６が回転許容位置にあることを示すか否かを判定する（Ｓ８１）。切替操作リング３６が回転許容位置にあることを示す場合（Ｓ８１でＹＥＳ）には、本体制御部１００は、第４ＡＦモードを実行する（Ｓ８２）。本体制御部１００は、第４ＡＦモードでは、ＡＦ評価値に基づいて合焦位置を検出し（Ｓ８３）、検出した合焦位置にフォーカスレンズ９５を移動させる（Ｓ８４）。そして、本体制御部１００は、第４ＡＦモードから他のモードに変更されたか否かを判定する（Ｓ８５）。モードの変更が行われるまでの間（Ｓ８５でＮＯ）は、合焦位置の検出（Ｓ８３）、及びフォーカスレンズ９５の移動（Ｓ８４）が継続される。このように、第４ＡＦモードでは、動画撮影中にＡＦが繰り返し行われる。
【００８９】
一方、切替操作リング３６が回転規制位置にあることを示す場合（Ｓ８１でＮＯ）には、本体制御部１００は、第５ＡＦモードを実行する（Ｓ８６）。本体制御部１００は、第５ＡＦモードでは、第２センサ５２の検出信号に基づき、指標７６の位置に合わせられた距離目盛４６に対応する撮影距離が得られる位置を算出する（Ｓ８７）。本体制御部１００は、算出した位置を中心として含む特定の距離範囲内に限定して合焦位置を検出する（Ｓ８８）。本体制御部１００は、検出した合焦位置にフォーカスレンズ９５を移動させる（Ｓ８９）。そして、本体制御部１００は、第５ＡＦモードから他のモードに変更されたか否かを判定する（Ｓ９０）。モードの変更が行われるまでの間（Ｓ９０でＮＯ）は、距離目盛４６に対応する位置の算出（Ｓ８７）、合焦位置の検出（Ｓ８８）、フォーカスレンズ９５の移動（Ｓ８９）が継続される。このように、第５ＡＦモードでは、フォーカス操作リング３２によりユーザーが指定した特定の距離範囲内において、ＡＦが繰り返し行われる。
【００９０】
以上のように、切替操作リング３６の光軸方向への移動によって、フォーカス操作リング３２を制限された角度範囲内で回転可能とするかエンドレスに回転可能とするかを選択的に切り替えるため、マニュアルモードの切り替え時に、フォーカス操作リング３２が誤って回転することが容易かつ確実に防止される。
【００９１】
なお、上記実施形態では、カメラ本体１１に設けた本体制御部１００によりレンズ鏡筒１２の各部を制御しているが、レンズ制御部９１によってレンズ鏡筒１２の各部を制御してもよい。この場合には、レンズ制御部９１は、撮影モードに応じて、第１センサ４２、第２センサ５２、第３センサ８２の出力に基づいてモータドライバ９２を制御し、フォーカスレンズ９５を移動させる。なお、レンズ制御部９１によってレンズ鏡筒１２の各部を制御する場合には、本体制御部１００によるレンズ鏡筒１２の各部の制御を禁止してもよい。
【００９２】
また、上記実施形態では、第２連結環３４に距離目盛４６を付し、切替操作リング３６に指標７６を付しているが、これに限らず、第２連結環３４に指標７６を付し、切替操作リング３６に距離目盛４６を付してもよい。切替操作リング３６に距離目盛４６を付した場合には、フォーカス操作リング３２に指標７６を付してもよい。
【００９３】
上記実施形態のカメラ１０では、固体撮像素子２２の画像信号をもとに、フォーカスレンズ９５を動かしながらコントラストが大きな位置を探してピントを合わせるコントラストＡＦ方式を用いているが、本発明はこれに限らず、位相差ＡＦ方式を用いてもよい。位相差ＡＦ方式では、受光面に入射する光の角度の依存性を有する位相差検出画素を受光面内に所定のパターンで複数配置した固体撮像素子が用いられる。位相差検出画素は、右方向からの入射感度が高い第１視差画素と、左方向からの入射感度が高い第２視差画素とからなる。複数の第１視差画素による像と、複数の第２視差画素による像とのずれ量から、合焦位置が求められる。
【００９４】
また、上記実施形態のカメラ１０では、カメラ本体１１とレンズ鏡筒１２とを別体とし、両者を着脱自在とする構成としているが、本発明はこれに限らず、カメラ本体１１とレンズ鏡筒１２とを一体に設けた撮影装置としてもよい。また、ミラーレス一眼タイプのデジタルカメラを例に説明したが、一眼レフタイプのデジタルカメラなどその他のレンズ交換型デジタルカメラにも適用することができる。
【符号の説明】
【００９５】
１０  レンズ交換式デジタルカメラ
１１  カメラ本体
１２  レンズ鏡筒
２２  固体撮像素子
３０  レンズ鏡筒本体
３１  撮影光学系
３２  フォーカス操作リング
３３  第１連結環
３４  第２連結環
３５  カム環
３６  切替操作リング
４２  第１センサ
５２  第２センサ
５６  距離目盛
７６  指標
８２  第３センサ
１００  本体制御部
【図１】
2016104409.tif 000003
【図２】
2016104409.tif 000004
【図３】
2016104409.tif 000005
【図４】
2016104409.tif 000006
【図５】
2016104409.tif 000007
【図６】
2016104409.tif 000008
【図７】
2016104409.tif 000009
【図８】
2016104409.tif 000010
【図９】
2016104409.tif 000011
【図１０】
2016104409.tif 000012
【図１１】
2016104409.tif 000013
【図１２】
2016104409.tif 000014
【図１３】
2016104409.tif 000015
【図１４】
2016104409.tif 000016
【図１５】
2016104409.tif 000017
【図１６】
2016104409.tif 000018
【図１７】
2016104409.tif 000019
【図１８】
2016104409.tif 000020
【図１９】
2016104409.tif 000021
【図２０】
2016104409.tif 000022
【図２１】
2016104409.tif 000023
【図２２】
2016104409.tif 000024
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
外部に露出した状態で前記レンズ鏡筒本体に対して前記光軸方向に移動可能に取り付けられた切替操作部材であって、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
を備えるレンズ鏡筒。
【請求項２】
前記切替操作部材は、前記回転許容位置にある場合には、前記回転規制位置にある場合よりも、前記フォーカス操作部材に近接する請求項１記載のレンズ鏡筒。
【請求項３】
前記回転規制部材は、前記フォーカス操作部材及び前記切替操作部材よりも前記レンズ鏡筒本体の内径側に配置されており、前記切替操作部材が前記回転許容位置にある場合に、前記フォーカス操作部材及び前記切替操作部材により覆われる請求項２記載のレンズ鏡筒。
【請求項４】
前記回転規制部材には、前記切替操作部材が前記回転規制位置にある場合に、前記フォーカス操作部材により覆われずに露呈した部分に距離目盛が付されている請求項３記載のレンズ鏡筒。
【請求項５】
前記フォーカス操作部材の回転を検出する第１センサと、
前記回転規制部材の角度位置を検出する第２センサと、
前記切替操作部材の位置を検出する第３センサと、
前記第１センサ、前記第２センサ、前記第３センサの出力に基づいて、前記フォーカスレンズを前記光軸方向に移動させる駆動部とを備える請求項４記載のレンズ鏡筒。
【請求項６】
前記駆動部は、前記第３センサの出力が、前記切替操作部材が前記回転規制位置にあることを示す場合に、前記第２センサの出力に基づき、前記フォーカスレンズを移動させる請求項５記載のレンズ鏡筒。
【請求項７】
前記駆動部を制御し、前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行する制御部を備える請求項６記載のレンズ鏡筒。
【請求項８】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
外部に露出した状態で前記レンズ鏡筒本体に対して前記光軸方向に移動可能に取り付けられ、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
前記フォーカス操作部材の回転を検出する第１センサと、
前記回転規制部材の角度位置を検出する第２センサと、
前記切替操作部材の位置を検出する第３センサと、
を備えるレンズ鏡筒の制御方法において、
前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行するレンズ鏡筒の制御方法。
【請求項９】
請求項６記載のレンズ鏡筒が着脱自在に接続され、
前記レンズ鏡筒の前記駆動部を制御し、前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行する制御部を備えるカメラ本体。
【請求項１０】
前記レンズ鏡筒本体から射出された光を撮像する撮像部と、
前記第１マニュアルフォーカスモード及び前記第２マニュアルフォーカスモードに代えて、オートフォーカスモードを選択するためのモード切替スイッチとを備え、
前記制御部は、前記モード切替スイッチにより前記オートフォーカスモードが選択された場合には、前記撮像部により得られる撮像信号に基づいて合焦位置を求め、前記合焦位置に前記フォーカスレンズを移動させる請求項９記載のカメラ本体。
【請求項１１】
前記制御部は、前記モード切替スイッチにより前記オートフォーカスモードが選択され、前記第３センサの出力が、前記切替操作部材が前記回転許容位置にあることを示す場合には、前記合焦位置に前記フォーカスレンズを移動させた後、前記回転方向及び前記回転量に応じて前記フォーカスレンズを移動させる請求項１０記載のカメラ本体。
【請求項１２】
前記制御部は、前記モード切替スイッチにより前記オートフォーカスモードが選択され、前記第３センサの出力が、前記切替操作部材が前記回転規制位置にあることを示す場合には、前記第２センサの出力に基づき、前記フォーカスレンズを移動させて前記合焦位置を求める請求項１０記載のカメラ本体。
【請求項１３】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
外部に露出した状態で前記レンズ鏡筒本体に対して前記光軸方向に移動可能に取り付けられ、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
前記フォーカス操作部材の回転を検出する第１センサと、
前記回転規制部材の角度位置を検出する第２センサと、
前記切替操作部材の位置を検出する第３センサと、
を備えたレンズ鏡筒が着脱自在に接続されるカメラ本体の制御方法において、
前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行するカメラ本体の制御方法。
【請求項１４】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
外部に露出した状態で前記レンズ鏡筒本体に対して前記光軸方向に移動可能に取り付けられ、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
前記フォーカス操作部材の回転を検出する第１センサと、
前記回転規制部材の角度位置を検出する第２センサと、
前記切替操作部材の位置を検出する第３センサと、
前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行する制御部と、
を備える撮影装置。
【請求項１５】
前記レンズ鏡筒本体から射出された光を撮像する撮像部と、
前記第１マニュアルフォーカスモード及び前記第２マニュアルフォーカスモードに代えて、オートフォーカスモードを選択するためのモード切替スイッチとを備え、
前記制御部は、前記モード切替スイッチにより前記オートフォーカスモードが選択された場合には、前記撮像部により得られる撮像信号に基づいて合焦位置を求め、前記合焦位置に前記フォーカスレンズを移動させる請求項１４記載の撮影装置。
【請求項１６】
前記制御部は、前記モード切替スイッチにより前記オートフォーカスモードが選択され、前記第３センサの出力が、前記切替操作部材が前記回転許容位置にあることを示す場合には、前記合焦位置に前記フォーカスレンズを移動させた後、前記回転方向及び前記回転量に応じて前記フォーカスレンズを移動させる請求項１５記載の撮影装置。
【請求項１７】
前記制御部は、前記モード切替スイッチにより前記オートフォーカスモードが選択され、前記第３センサの出力が、前記切替操作部材が前記回転規制位置にあることを示す場合には、前記第２センサの出力に基づき、前記フォーカスレンズを移動させて前記合焦位置を求める請求項１５記載の撮影装置。
【請求項１８】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
外部に露出した状態で前記レンズ鏡筒本体に対して前記光軸方向に移動可能に取り付けられ、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
前記フォーカス操作部材の回転を検出する第１センサと、
前記回転規制部材の角度位置を検出する第２センサと、
前記切替操作部材の位置を検出する第３センサと、
を備えた撮影装置の制御方法において、
前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行する撮影装置の制御方法。
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
外部に露出した状態で前記レンズ鏡筒本体に対して前記光軸方向に移動可能に取り付けられた切替操作部材であって、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
を備えるレンズ鏡筒。
【請求項２】
前記切替操作部材は、前記回転許容位置にある場合には、前記回転規制位置にある場合よりも、前記フォーカス操作部材に近接する請求項１記載のレンズ鏡筒。
【請求項３】
前記回転規制部材は、前記フォーカス操作部材及び前記切替操作部材よりも前記レンズ鏡筒本体の内径側に配置されており、前記切替操作部材が前記回転許容位置にある場合に、前記フォーカス操作部材及び前記切替操作部材により覆われる請求項２記載のレンズ鏡筒。
【請求項４】
前記回転規制部材には、前記切替操作部材が前記回転規制位置にある場合に、前記フォーカス操作部材により覆われずに露呈した部分に距離目盛が付されている請求項３記載のレンズ鏡筒。
【請求項５】
前記フォーカス操作部材の回転を検出する第１センサと、
前記回転規制部材の角度位置を検出する第２センサと、
前記切替操作部材の位置を検出する第３センサと、
前記第１センサ、前記第２センサ、前記第３センサの出力に基づいて、前記フォーカスレンズを前記光軸方向に移動させる駆動部とを備える請求項４記載のレンズ鏡筒。
【請求項６】
前記駆動部は、前記第３センサの出力が、前記切替操作部材が前記回転規制位置にあることを示す場合に、前記第２センサの出力に基づき、前記フォーカスレンズを移動させる請求項５記載のレンズ鏡筒。
【請求項７】
前記駆動部を制御し、前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行する制御部を備える請求項６記載のレンズ鏡筒。
【請求項８】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
外部に露出した状態で前記レンズ鏡筒本体に対して前記光軸方向に移動可能に取り付けられ、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
前記フォーカス操作部材の回転を検出する第１センサと、
前記回転規制部材の角度位置を検出する第２センサと、
前記切替操作部材の位置を検出する第３センサと、
を備えるレンズ鏡筒の制御方法において、
前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行するレンズ鏡筒の制御方法。
【請求項９】
請求項６記載のレンズ鏡筒が着脱自在に接続され、
前記レンズ鏡筒の前記駆動部を制御し、前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行する制御部を備えるカメラ本体。
【請求項１０】
前記レンズ鏡筒本体から射出された光を撮像する撮像部と、
前記第１マニュアルフォーカスモード及び前記第２マニュアルフォーカスモードに代えて、オートフォーカスモードを選択するためのモード切替スイッチとを備え、
前記制御部は、前記モード切替スイッチにより前記オートフォーカスモードが選択された場合には、前記撮像部により得られる撮像信号に基づいて合焦位置を求め、前記合焦位置に前記フォーカスレンズを移動させる請求項９記載のカメラ本体。
【請求項１１】
前記制御部は、前記モード切替スイッチにより前記オートフォーカスモードが選択され、前記第３センサの出力が、前記切替操作部材が前記回転許容位置にあることを示す場合には、前記合焦位置に前記フォーカスレンズを移動させた後、前記回転方向及び前記回転量に応じて前記フォーカスレンズを移動させる請求項１０記載のカメラ本体。
【請求項１２】
前記制御部は、前記モード切替スイッチにより前記オートフォーカスモードが選択され、前記第３センサの出力が、前記切替操作部材が前記回転規制位置にあることを示す場合には、前記第２センサの出力に基づき、前記フォーカスレンズを移動させて前記合焦位置を求める請求項１０記載のカメラ本体。
【請求項１３】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
外部に露出した状態で前記レンズ鏡筒本体に対して前記光軸方向に移動可能に取り付けられ、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
前記フォーカス操作部材の回転を検出する第１センサと、
前記回転規制部材の角度位置を検出する第２センサと、
前記切替操作部材の位置を検出する第３センサと、
を備えたレンズ鏡筒が着脱自在に接続されるカメラ本体の制御方法において、
前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行するカメラ本体の制御方法。
【請求項１４】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
外部に露出した状態で前記レンズ鏡筒本体に対して前記光軸方向に移動可能に取り付けられ、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
前記フォーカス操作部材の回転を検出する第１センサと、
前記回転規制部材の角度位置を検出する第２センサと、
前記切替操作部材の位置を検出する第３センサと、
前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行する制御部と、
を備える撮影装置。
【請求項１５】
前記レンズ鏡筒本体から射出された光を撮像する撮像部と、
前記第１マニュアルフォーカスモード及び前記第２マニュアルフォーカスモードに代えて、オートフォーカスモードを選択するためのモード切替スイッチとを備え、
前記制御部は、前記モード切替スイッチにより前記オートフォーカスモードが選択された場合には、前記撮像部により得られる撮像信号に基づいて合焦位置を求め、前記合焦位置に前記フォーカスレンズを移動させる請求項１４記載の撮影装置。
【請求項１６】
前記制御部は、前記モード切替スイッチにより前記オートフォーカスモードが選択され、前記第３センサの出力が、前記切替操作部材が前記回転許容位置にあることを示す場合には、前記合焦位置に前記フォーカスレンズを移動させた後、前記回転方向及び前記回転量に応じて前記フォーカスレンズを移動させる請求項１５記載の撮影装置。
【請求項１７】
前記制御部は、前記モード切替スイッチにより前記オートフォーカスモードが選択され、前記第３センサの出力が、前記切替操作部材が前記回転規制位置にあることを示す場合には、前記第２センサの出力に基づき、前記フォーカスレンズを移動させて前記合焦位置を求める請求項１５記載の撮影装置。
【請求項１８】
フォーカスレンズを含む撮影光学系を収納するレンズ鏡筒本体と、
前記レンズ鏡筒本体に対して、前記撮影光学系の光軸を中心としてエンドレスに回転可能に取り付けられたフォーカス操作部材と、
前記光軸を中心として制限された角度範囲内で回転可能であって、前記光軸方向に、前記フォーカス操作部材に係合する係合位置と、前記フォーカス操作部材に非係合の非係合位置との間で移動可能な回転規制部材と、
外部に露出した状態で前記レンズ鏡筒本体に対して前記光軸方向に移動可能に取り付けられ、前記回転規制部材を前記係合位置に移動させて、前記フォーカス操作部材の回転を前記角度範囲内に規制する回転規制位置と、前記回転規制部材を前記非係合位置に移動させて、前記フォーカス操作部材のエンドレスな回転を許容する回転許容位置との間で移動可能な切替操作部材と、
前記フォーカス操作部材の回転を検出する第１センサと、
前記回転規制部材の角度位置を検出する第２センサと、
前記切替操作部材の位置を検出する第３センサと、
を備えた撮影装置の制御方法において、
前記第３センサの出力が、前記切替操作部材が前記回転許容位置にあることを示す場合に、前記第１センサの出力に基づいて求められる回転方向及び回転量に応じて前記フォーカスレンズを移動させる第１マニュアルフォーカスモードを実行し、前記第３センサの出力が、前記切替操作部材が前記回転規制位置にあることを示す場合に、前記第２センサが検出した前記角度位置に応じて前記フォーカスレンズを移動させる第２マニュアルフォーカスモードを実行する撮影装置の制御方法。
【手続補正２】
【補正対象書類名】明細書
【補正対象項目名】００７６
【補正方法】変更
【補正の内容】
【００７６】
Ｃ−ＡＦモードは、第４ＡＦモードと、第５ＡＦモードとを有する。第４ＡＦモードでは、動画撮影を実行している間に、ＡＦが繰り返し行われる。第５ＡＦモードでは、動画撮影を実行している間に、第３ＡＦモードと同一の処理が繰り返し行われる。
【国際調査報告】
2016104409.tif 000025
2016104409.tif 000026
2016104409.tif 000027
2016104409.tif 000028